(57)【要約】  複合針のスライダに意匠撚糸が絡まることを防止することができる編地の編成方法および横編機を提供する。  フック４１Ｆを有する針本体４１とフック４１Ｆを開閉するスライダ４２とを有する複数の複合針４と、これらの複合針４が列設され、各複合針４を同針４の長手方向に進退自在に保持する針床と、針床の長手方向に往復動作して針床の歯口部に意匠撚糸９を給糸する給糸部材６とを備える。この横編機は、給糸された意匠撚糸９のループ（飾り糸部）９Ｌがスライダ４２に引っ掛からからないように、ループ９Ｌをスライダ４２から離反する方向に押さえつける押さえ部材７を備える。この押さえ部材７は、給糸部材６の移動方向に対して給糸部材６の後側で、スライダ４２とフック４１Ｆとの間が開いている複合針４に対する給糸領域を覆う。
2009016802.tif 000002
【特許請求の範囲】
【請求項１】
フックを有する針本体とフックを開閉するスライダとを有する複数の複合針と、これらの複合針が列設され、各複合針を同針の長手方向に進退自在に保持する針床と、針床の長手方向に往復動作して針床の歯口部に、芯糸の外周に飾り糸部が突出した意匠撚糸を給糸する給糸部材とを備える横編機を用い、給糸部材から歯口部に給糸される意匠撚糸を歯口部に進出させた針本体のフックに引っ掛けて、針本体を針床に引き込むことで編成を行う編地の編成方法であって、
針本体が針床に引き込まれて、フックがスライダで閉じられるときに、給糸された意匠撚糸の飾り糸部がスライダに引っ掛からからないように、飾り糸部をスライダから離反する方向に押さえつけて編成することを特徴とする編地の編成方法。
【請求項２】
フックを有する針本体とフックを開閉するスライダとを有する複数の複合針と、これらの複合針が列設され、各複合針を同針の長手方向に進退自在に保持する針床と、針床の長手方向に往復動作して針床の歯口部に、芯糸の外周に飾り糸部が突出した意匠撚糸を給糸する給糸部材とを備え、給糸部材から歯口部に給糸される意匠撚糸を歯口部に進出させた針本体のフックに引っ掛けて、針本体を針床に引き込む動作が可能な横編機であって、
針本体が針床に引き込まれて、フックがスライダで閉じられるときに、給糸された意匠撚糸の飾り糸部がスライダに引っ掛からないように、飾り糸部をスライダから離反する方向に押さえつける押さえ部材を備え、
この押さえ部材は、給糸部材の移動に追従し、給糸部材の移動方向の後側において、スライダとフックとの間が開いている複合針に対する給糸領域を実質的に覆うように構成されていることを特徴とする横編機。
【請求項３】
押さえ部材は、板状片であることを特徴とする請求の範囲第２項に記載の横編機。
【請求項４】
針床の長手方向と直交する方向に並列されると共に、給糸部材がスライド自在に支持される複数の糸道レールを備え、
押さえ部材は、前記並列方向端部の糸道レールの少なくとも一方にスライド自在に取り付けられていることを特徴とする請求の範囲第２項または第３項に記載の横編機。
【請求項５】
二つの針床が対向して設けられており、
一方の針床の複合針に対して設けられる押さえ部材において、他方の針床の複合針の編成動作と干渉する位置に切り欠きが設けられていることを特徴とする請求の範囲第２項〜第４項のいずれか一項に記載の横編機。
【発明の詳細な説明】
【技術分野】
【０００１】
本発明は、複合針のスライダに意匠撚糸の外周に突出する飾り糸部が引っ掛かることを防止することができる編地の編成方法および横編機に関する。
【背景技術】
【０００２】
従来から、横編機では、歯口部を挟んで対向する針床から複合針を歯口部に進出させ、歯口部の上方から給糸した編糸を複合針のフックに引っ掛けて針床に引き込むことで編地の編成が行われている（例えば、特許文献１や２を参照）。歯口部への編糸の給糸は、歯口部の中央部近傍を針床の長手方向に往復運動する給糸部材の給糸口から行う。【０００３】
この横編機に使用される編針として、針本体にラッチを設けたラッチニードルや（例えば、特許文献１を参照）、針本体にスライダを設けたコンパウンドニードル（複合針）が知られている（例えば、特許文献２を参照）。複合針は、針本体の長手方向に対してスライダが進退することで針本体のフックの開閉を行う構成であり、ラッチニードルで編成する編地よりも編目の細かい編地を編成することができるという利点を有している。【０００４】
【特許文献１】特開２００６−１８３１８１号公報、図３
【特許文献２】国際公開第ＷＯ２００７／０３７２８５号パンフレット
【発明の開示】
【発明が解決しようとする課題】
【０００５】
ところで、横編機では、編糸として意匠撚糸などと呼ばれる多様な変わり糸を使用することがある。意匠撚糸は、芯糸の外周側に突出する飾り糸部を有する編糸である。意匠撚糸としては、例えば、芯糸に飾り糸を巻き付けて、芯糸の所々に玉状のかたまり（飾り糸部）を形成したノットヤーンや、芯糸に飾り糸を巻き付けて、芯糸の所々にループ（飾り糸部）を形成したループヤーンなどが挙げられる。これらの意匠撚糸は、その外周に突出する飾り糸部により、糸の径方向への拡がりが大きいため、特に、編針として複合針を使用する場合、芯糸の外周側に突出した飾り糸部が、意匠撚糸がフックに掛けられて針床に引き込まれるときに、スライダに引っ掛かり易い。【０００６】
このように、意匠撚糸の飾り糸部がスライダに引っ掛かると、引っ掛かった飾り糸部が傷ついて、編成される編地に傷が付いて商品とならない虞がある。また、意匠撚糸がスライダに引っ掛かった状態で、以降の編成が行われると、引っ掛かった飾り糸部に引っ張られてスライダが折損する虞もある。【０００７】
そこで、本発明の目的の一つは、複合針のスライダに意匠撚糸の飾り糸部が引っ掛かることを防止することができる編地の編成方法を提供することにある。また、本発明の他の目的は、複合針のスライダに意匠撚糸の飾り糸部が引っ掛かることを防止することができる横編機を提供することにある。
【課題を解決するための手段】
【０００８】
本発明の編地の編成方法は、フックを有する針本体とフックを開閉するスライダとを有する複数の複合針と、これらの複合針が列設され、各複合針を同針の長手方向に進退自在に保持する針床と、針床の長手方向に往復動作して針床の歯口部に、芯糸の外周に飾り糸部が突出した意匠撚糸を給糸する給糸部材とを備える横編機を用い、給糸部材から歯口部に給糸される意匠撚糸を歯口部に進出させた針本体のフックに引っ掛けて、針本体を針床に引き込むことで編成を行う編地の編成方法である。この編地の編成方法は、針本体が針床に引き込まれて、フックがスライダで閉じられるときに、給糸された意匠撚糸の飾り糸部がスライダに引っ掛からないように、飾り糸部をスライダから離反する方向に押さえつけて編成することを特徴とする。【０００９】
また、本発明の横編機は、フックを有する針本体とフックを開閉するスライダとを有する複数の複合針と、これらの複合針が列設され、各複合針を同針の長手方向に進退自在に保持する針床と、針床の長手方向に往復動作して針床の歯口部に、芯糸の外周に飾り糸部が突出する意匠撚糸を給糸する給糸部材とを備え、給糸部材から歯口部に給糸される意匠撚糸を歯口部に進出させた針本体のフックに引っ掛けて、針本体を針床に引き込む動作が可能な横編機である。この横編機は、針本体が針床に引き込まれて、フックがスライダで閉じられるときに、給糸された意匠撚糸の飾り糸部がスライダに引っ掛からないように、飾り糸部をスライダから離反する方向に押さえつける押さえ部材を備える。そして、この横編機は、上記押さえ部材が、給糸部材に追従し、給糸部材の移動方向の後側において、スライダとフックとの間が開いている複合針に対する給糸領域を実質的に覆うように構成したことを特徴とする。【００１０】
上記「給糸領域」とは、後述する実施例の図２を参照して説明すると、スライダ４２とフック４１Ｆとの間が開いている複合針４に給糸された意匠撚糸９に沿った長さと、意匠撚糸９に沿った所定の幅とを持った領域である。領域の幅は、フック４１Ｆの開口長さに一致するわけではなく、意匠撚糸９の飾り糸部（ループ９Ｌ）を押さえることができるだけの幅である。例えば、図２であれば、ループ９Ｌの根元部分近傍が給糸領域の幅である。【００１１】
また、「給糸領域を実質的に覆う」とは、飾り糸部がスライダ４２に引っ掛からないように給糸領域の大部分を覆うことを指す。例えば、図２に示すような、給糸部材６の進行方向後側で、フック４１Ｆが開いている複数の複合針４に対する給糸領域のうち、図中の押さえ部材７の左下角部における一針の給糸領域以外を覆っている状態が、「給糸領域を実質的に覆う」状態である。ここで、給糸領域の終端側における最後の一針程度であれば、スライダ４２とフック４１Ｆとの間が開いているところを押さえ部材７が覆っていなくても、押さえ部材７が通過した直後であり、スライダ４２とフック４１Ｆとの間が閉じる直前であるので、飾り糸部（ループ９Ｌ）がスライダ４２に引っ掛かることはない。【００１２】
本発明の押さえ部材は、種々の形状をとり得る。例えば、押さえ部材は、板状片とすることが好ましい。その他、押さえ部材は、上記給糸領域に沿って伸びる棒状片としても良い。【００１３】
また、本発明の横編機は、針床の長手方向と直交する方向に並列されると共に、給糸部材がスライド自在に支持される複数の糸道レールを備え、押さえ部材を、前記並列方向端部の糸道レールの少なくとも一方にスライド自在に取り付けることが好ましい。【００１４】
さらに、本発明の横編機が、互いに対向する二つの針床を有する場合、一方の針床の複合針に対して設けられる押さえ部材において、他方の針床の複合針の編成動作と干渉する位置に切り欠きを設けておくことが好ましい。例えば、押さえ部材を板状片とするのであれば、編成動作に干渉する位置に切り欠きを設けるようにすれば良い。その他、押さえ部材を給糸領域に沿って伸びる棒状片とするのであれば、棒状片を屈曲させて窪ませた切り欠きを形成することができる。
【発明の効果】
【００１５】
本発明の編地の編成方法によれば、横編機を使用して意匠撚糸で編地を編成する際に、意匠撚糸の飾り糸部がスライダに絡まったり、あるいは、スライダとフックとの間に挟まったりすることを防止することができる。そのため、意匠撚糸の飾り糸部がスライダに絡まったり挟まったりすることで、飾り糸部がスライダに引っ掛かって意匠撚糸が損傷したり、引っ掛かった状態で編成が行われてスライダが損傷したりすることがない。【００１６】
また、本発明の横編機によれば、本発明の編地の編成方法と同様の理由により、意匠撚糸が損傷したり、スライダが損傷したりすることがない。【００１７】
本発明の横編機における押さえ部材を板状片とすると、例えば、押さえ部材をスライダ側から押さえつけるように配置したときに、板状片全体で意匠撚糸をスライダ側に回り込まないように押さえつけることができる。そのため、この構成によれば、確実に意匠撚糸が、スライダに掛らないようにすることができる。【００１８】
本発明の横編機に備わる押さえ部材を、糸道レールにスライド自在に構成することにより、針床に設けられる複合針の編成動作に合わせて、スライダとフックとの間が開いている複合針を覆うように押さえ部材を移動させることが容易である。特に、複合針に編成動作を行わせるカムシステムを備えるキャリッジにより給糸部材の連行も行う構成の場合、このキャリッジで押さえ部材の連行をも行わせるようにすると良い。この構成であれば、複合針の編成動作に連動して、常に適切な位置に押さえ部材を配置することが容易であり、スライダに意匠撚糸の飾り糸部が引っ掛かることをより確実に防止することができる。さらに、押さえ部材が並列方向端部の糸道レールの少なくとも一方に取り付けられていることにより、他の糸道レールに取り付けられるいずれの給糸部材から給糸しても、意匠撚糸の飾り糸部を押さえ部材で押さえつけることができる。【００１９】
また、一方の針床の複合針に対して設けられる押さえ部材において、他方の針床の複合針の編成動作と干渉する位置に空間を設けておく構成によれば、対向する針床の複合針の編成動作を邪魔することなく、押さえ部材により意匠撚糸の飾り糸部を押さえることができる。そのため、対向する針床の複合針を用いて、表目と裏目とが混在した、意匠撚糸で形成される編地を編成することができる。
【図面の簡単な説明】
【００２０】
【図１】実施例１に記載の横編機における複合針、給糸部材、意匠撚糸および押さえ部材の配置状態を示す概略構成図である。
【図２】図１を矢印の方向から見たときの複合針、給糸部材、意匠撚糸および押さえ部材の配置状態を示す概略構成図である。
【図３】実施例２に記載の横編機における複合針と押さえ部材との位置関係を示す説明図であって、（ａ）から（ｃ）にかけて歯口部に進出していた針本体が針床に引き込まれていく様子を示す。また、（Ａ），（Ｂ）および（Ｃ）は、それぞれ（ａ），（ｂ）および（ｃ）を矢印の方向から見た図である。
【符号の説明】
【００２１】
１，２  針床
３  歯口部
４，５  複合針    ４１  針本体  ４１Ｆ  フック  ４２  スライダ
６  給糸部材
７，８  押さえ部材  ７０，８０  押さえ部材キャリヤー    ８Ｎ  切り欠き
９  意匠撚糸    ９Ｌ  （意匠撚糸の）ループ
【発明を実施するための最良の形態】
【００２２】
［実施例１］
本例の横編機は、針本体とフックとを有する複数の複合針と、これらの複合針を列設した針床と、歯口部に意匠撚糸を供給する給糸部材と、意匠撚糸の外周に突出するループ（飾り糸部）を押さえ込む押さえ部材とを備える。以下、本発明の横編機の各構成について説明すると共に、各構成の配置状態について図１，２に基づいて説明する。【００２３】
図１は、対向する一対の針床１，２の、歯口部３の近傍における本発明の構成部材の配置状態を示す概略構成図である。また、図２は、図１の矢印の方向から見た、複合針４と意匠撚糸９と押さえ部材７の状態を示す概略構成図である。なお、図１，２では、前側針床１に意匠撚糸９を給糸している状態を示している。また、図２では、紙面右方向に編成が進行している様子を示している。【００２４】
図１に示すように、複合針４（５）は、針本体４１と、スライダ４２とを備え、このスライダ４２が針本体４１の長手方向にスライドすることで、針本体４１の先端部に設けられるフック４１Ｆを開閉する構成である。本例におけるスライダ４２は、針本体４１の溝に嵌め込まれた２枚一組の薄板であり、針本体４１の長手方向にスライドしたときにスライダ４２の先端部が針本体４１のフック４１Ｆを両側から挟み込むように配置されている。この複合針４は、針床１の長手方向に所定の間隔を空けて列設され、歯口部３に進退することによって、歯口部３に給糸される意匠撚糸９を針床１側に引き込むことで編地を編成する（図２を合わせて参照）。【００２５】
また、横編機の給糸部材６は、その先端部に設けられる給糸口から歯口部３に意匠撚糸９を給糸する部材である。本例では、給糸部材６を、図１の紙面垂直方向に伸びる図示しない糸道レールにスライド自在に取り付ける構成とした。この給糸部材６は、複合針に作用して編成動作を行わせるカムシステムを備えるキャリッジにより連行される構成であり、キャリッジの往復に連動して針床１の長手方向に往復移動する（図２を合わせて参照）。【００２６】
押さえ部材７，８は、針床１，２の長手方向にスライド自在に構成される押さえ部材キャリヤー７０，８０の先端に固定されている。押さえ部材キャリヤー７０，８０は、並列される糸道レールのそれぞれに取り付けられる給糸部材のうち、最も外側にある給糸部材を転用している。押さえ部材７は、前側針床１の複合針４に対して給糸される意匠撚糸９に作用し、押さえ部材８は、後側針床２の複合針５に対して給糸される意匠撚糸に作用する。以降の説明では、後針床２での編成に用いる押さえ部材８の連行を行わずに、専ら前側針床１の複合針４で編地を編成する場合を説明する。【００２７】
押さえ部材７は、図２に示すように板状片であり、その先端部が、編成動作を行うとき（針本体４１が歯口部に進出して、フック４１Ｆが開いているとき）のスライダ４２先端の位置よりもフック４１Ｆ側の位置にある。また、図１の矢印の方向から見たときの押さえ部材７の先端位置は、意匠撚糸９のループ（飾り糸部）がスライダ４２側に回り込まないように、針本体４１にほぼ接するような位置に設定されている。一方、押さえ部材７の幅方向の位置は、給糸部材６の進行方向（紙面右側）の後方におけるフック４１Ｆが開いている複合針４のフック開口部を覆うようになっている。このような押さえ部材７の配置により、意匠撚糸９に沿った給糸領域を押さえ部材７により実質的に覆うことができる。なお、押さえ部材７の左下角部に位置する複合針４のフック開口部は押さえ部材７に覆われていないが、当該複合針４はフックが閉じる直前（押さえ部材７が通過した直後）であるので、ループ９Ｌがスライダ４２に引っ掛かることはない。つまり、本例の押さえ部材７は、ループ９Ｌがスライダ４２に引っ掛からないように実質的に給糸領域を覆っていることになる。【００２８】
この押さえ部材７は、押さえ部材キャリヤー７０を介してキャリッジにより連行され、編成動作の進行に伴ってフック開口部を適切に覆うことができるようになっている。ここで、押さえ部材７の先端が、ほぼ針本体４１に接するように配置されているが、針本体４１が針床１に引き込まれてフック４１Ｆが閉じる直前に、押さえ部材７が、針本体４１から離れた位置に移動するので、両者が接触することはない（図２の押さえ部材７の左下角部を参照）。【００２９】
上述のように押さえ部材７を配置することで、複合針４のスライダ４２とフック４１Ｆの間が閉じる直前まで意匠撚糸９のループ９Ｌをフック４１Ｆ側に押さえつけ、スライダ４２側に回り込まないようにすることができる。その結果、意匠撚糸９のループ９Ｌが、スライダ４２に絡まったり、あるいは、スライダ４２とフック４１Ｆとの間に挟まったりすることを防止できるので、編成される編地が傷んだり、複合針４が傷んだりすることがない。【００３０】
［実施例２］
実施例２では、飾り糸部がスライダに引っ掛かることを防止しつつ、ゴム編みなどの前後の針床の複合針を使用した編成を行う場合に好適な横編機を説明する。【００３１】
ここで、実施例１に記載の横編機で前後の針床の複合針を交互に動作させた場合、例えば、前側針床１の複合針４で意匠撚糸９を引き込むときに作用する押さえ部材７に、後側針床２の複合針５が針床２に引き込まれるときに接触してしまう（図１を参照）。そこで、本例では、押さえ部材の形状を実施例１と異なるようにして、一方の複合針に対して設けられる押さえ部材に、他方の複合針が接触しないようにした。以下、本例の横編機を詳しく説明する。【００３２】
本例の横編機は、図１を参照して既に説明した実施例１の横編機と同様に、前側針床１の複合針４に給糸される意匠撚糸９に作用する押さえ部材７と、後側針床２の複合針５に給糸される意匠撚糸に作用する押さえ部材８とを備え、これら２つの押さえ部材が給糸部材６を挟んで対向して配置されている。本例の横編機は、これら押さえ部材の形状に特徴があり、これら押さえ部材以外の構成は、実施例１と同様の構成を使用できる。【００３３】
図３は、編成過程における押さえ部材と複合針との位置関係を示す説明図であって、（ａ）から（ｃ）にかけて針本体が針床に引き込まれていく過程を示す。また、（Ａ），（Ｂ）および（Ｃ）は、それぞれ（ａ），（ｂ）および（ｃ）を矢印の方向から見た図である。ここで、図３（Ａ）〜（Ｃ）において、給糸部材（図示せず）、編成および押さえ板の進行方向は、紙面右行きである。【００３４】
図３（Ａ）に示すように、本例の押さえ部材８には、押さえ部材８の下方側における両側端に切り欠き８Ｎが設けられている。この切り欠き８Ｎは、押さえ部材８の内側から側端に向かって押さえ部材８の下方に拡がるように階段状に形成されている。両切り欠きのうち、給糸部材の移動方向と反対側に設けられている切り欠きが、押さえ部材と複合針との接触を回避する。なお、押さえ部材７にも同様の切り欠きが設けられている。【００３５】
次いで、上述のような切り欠き８Ｎを有する押さえ部材８を備える横編機で、複合針４により意匠撚糸９の編成を行う場合を説明する。【００３６】
まず、図３（ａ），（Ａ）の状態のときには、意匠撚糸９を編成するための複合針４の針本体４１が歯口部に向かって進出しており、針本体４１のフック４１Ｆが、押さえ部材８に干渉しない位置にある。この状態から意匠撚糸９を編成するために、針本体４１が針床に引き込まれていくと、図３（ｂ）の方向から見たときに、フック４１Ｆ先端が押さえ部材８に重なる位置にくる。しかし、針本体４１の針床への引き込みに伴って、押さえ部材８が移動するため、図３（Ｂ）の方向から見たときに、フック４１Ｆの先端が、切り欠き８Ｎの上段部分に配されて、押さえ部材８に接触することがない。換言すれば、押さえ部材８に切り欠き８Ｎが設けられていない場合には、フック４１Ｆの先端が、押さえ部材８に接触してしまう。また、図３（ｃ），（Ｃ）に示すように、さらに針本体４１が針床に引き込まれると、今度は、フック４１Ｆの先端が、切り欠き８Ｎの下段部分に位置して、押さえ部材８に接触することがない。そして、さらに針本体が針床に引き込まれるときには、既に押さえ部材が複合針から離れた位置に移動しているので、両者が干渉することがない。【００３７】
ちなみに、編成の進行方向が上述の例とは逆になる場合は、押さえ部材８の右側の切り欠き、即ち、給糸部材６の進行方向に対して反対側にある切り欠きが、フック４１Ｆの先端を通過させる空間になる。【００３８】
以上のように、本実施例の構成によれば、編地を編成する際に前後の針床の複合針を使用しても、意匠撚糸の飾り糸部を押さえる押さえ板に複合針が接触することがない。そのため、本実施例の横編機によれば、ゴム編みなどの表目と裏目の混在した意匠撚糸からなる編地を容易に編成することができる。【００３９】
＜変形例＞
上述した実施例の各構成部材は、以下に示すように置換可能である。【００４０】
≪複合針≫
本発明に使用する複合針は、針本体とスライダとを有し、針本体の先端に設けられるフックを、針本体の長手方向にスライドするスライダによって開閉する構成であれば良い。図面を参照して説明した複合針は、一つの針本体に対して二つのスライダで針本体のフックを挟み込むようにした、いわゆるスライドニードル（株式会社島精機製作所の登録商標）である。その他、複合針としては、一つの針本体に対して一つのスライダを備えるタイプのものを使用することもできる。【００４１】
≪針床≫
実施例に示す横編機は、互いに対向して配置される一対の針床を備える２枚ベッドの横編機としたが、一つの針床を備える横編機としてもかまわない。また、対向する一対の針床の上方に、さらに対向する一対の針床を備えるようにした４枚ベッドの横編機としても良い。【００４２】
≪給糸部材≫
実施例に示す給糸部材は、キャリッジに連行される構成としたが、給糸部材自体が独自に走行するタイプとしても良い。また、実施例では給糸部材を複数としたが、単数であってもかまわない。【００４３】
≪押さえ部材≫
本例の押さえ部材は、図１，２に示すように、板状片としたが、例えば、針床の長手方向に伸びる（給糸領域に沿って伸びる）棒状片であってもかまわない。どのような形状を選択するにしても、給糸部材の進行方向後側で、フックの開いている複合針の位置にある意匠撚糸の飾り糸部を押さえつけることができれば良い。また、本例では、押さえ部材を糸道レールにスライド自在に取り付けて、キャリッジにより移動させる構成としたが、押さえ部材自体が独自の駆動機構により駆動する構成であってもかまわない。さらに、押さえ部材の取り付け箇所も、糸道レール上に限定されるわけではなく、例えば、糸道レールの外側で、糸道レールに沿うように設けられた専用のレールに取り付けても良いし、あるいは、キャリッジに直接取り付けてもかまわない。【００４４】
≪意匠撚糸≫
本例では、意匠撚糸として、芯糸の外周に飾り糸を巻き付けてループを形成したループヤーンを使用したが、もちろん他の意匠撚糸でもかまわない。例えば、ループヤーン以外の意匠撚糸として、芯糸の外周に飾り糸を巻き付けて、所々に玉状のかたまりを形成したノットヤーンなどが挙げられる。いずれにせよ、本発明の構成によれば、芯糸の外周側に突出した飾り糸部を有する意匠撚糸全般について、この飾り糸部が、スライダに引っ掛かることを防止することができる。【００４５】
≪その他≫
本発明の横編機は、編成に際して複合針の進退や給糸部材の連行にキャリッジを使用する構成としたが、複数の複合針や複数の給糸部材を個別の駆動機構で駆動するキャリッジレスの構成であっても良い。
【産業上の利用可能性】
【００４６】
本発明の編地の編成方法および横編機は、意匠撚糸を使用した編地の編成に好適に利用することができる。
【図１】
2009016802.tif 000003
【図２】
2009016802.tif 000004
【図３】
2009016802.tif 000005
【手続補正書】
【提出日】平成20年10月22日(2008.10.22)
【手続補正１】
【補正対象書類名】特許請求の範囲
【補正対象項目名】請求項１
【補正方法】変更
【補正の内容】
【請求項１】
フックを有する針本体とフックを開閉するスライダとを有する複数の複合針と、これらの複合針が列設され、各複合針を同針の長手方向に進退自在に保持する針床と、針床の長手方向に往復動作して針床の歯口部に、芯糸の外周に飾り糸部が突出した意匠撚糸を給糸する給糸部材とを備える横編機を用い、給糸部材から歯口部に給糸される意匠撚糸を歯口部に進出させた針本体のフックに引っ掛けて、針本体を針床に引き込むことで編成を行う編地の編成方法であって、
給糸部材の移動に追従し、給糸部材の移動方向の後側において、スライダとフックとの間が開いている複合針に対する給糸領域を実質的に覆う押さえ部材により、飾り糸部をスライダから離反する方向に押さえつけ、針本体が針床に引き込まれて、フックがスライダで閉じられるときに、給糸された意匠撚糸の飾り糸部がスライダに引っ掛からからないようにしつつ編地を編成することを特徴とする編地の編成方法。
【国際調査報告】
2009016802.tif 000006
2009016802.tif 000007